(57)【要約】【課題】ディスクを最下層に重ねるときにディスクに傷が付くこと及び変形することを防ぎ、効率良くディスクを集積する。【解決手段】ディスク集積部１５は、データ書き込み及びレーベル印刷の処理済みディスクＤｃを集積する。このディスク集積部１５は、保持枠５１と、保持枠５１に組み込まれた支持フック５２と、ステージ部材５３と、移動機構５４と、シュート５７と、支持フレーム５８とを備える。シュート５７からディスクＤｃが搬送されてくると移動機構５４の作動によってステージ部材５３が下降してディスク受け止め位置に移動してディスクＤｃを受け止め、このディスクＤｃを受け止めた状態でステージ部材５３がもとのディスク支持位置に復帰する。ステージ部材５３がディスク支持位置に復帰するとき支持フック５２が連動して退避し、ディスクＤｃを保持枠５１内に送り込む。【選択図】図３
2007133983.tif 000002
【特許請求の範囲】
【請求項１】
複数のディスクが収納可能なディスク収納部を有し、搬送手段によって搬送されてきたディスクを前記ディスク収納部に集積するディスク集積装置において、
前記ディスク収納部に設けられ、ディスクの直径に合わせて形成された開口部の内周面でディスクの外周面を保持する保持枠と、この保持枠の開口部よりも外側に位置する退避位置、及び前記開口部の内側へ向かって突出し、保持枠内に集積されたディスクの最下層を支持する突出位置との間で移動する支持部材と、前記搬送手段によって搬送されてきたディスクを前記保持枠の下方へガイドするガイド部材と、前記保持枠の下方に位置し、上下方向へ移動自在に取り付けられたステージ部材と、前記ステージ部材が前記保持枠内に集積されたディスクの最下層を底面側から支持するディスク支持位置、及びディスクの最下層から離れるディスク受け止め位置との間で前記ステージ部材を移動させる移動手段と、前記ステージ部材の移動に連動して前記支持部材を移動させる連動手段とを備えており、前記ガイド部材によってガイドされたディスクが前記ディスク収納部へ向かって搬送されてくるとき、前記ディスク支持位置から前記ディスク受け止め位置へ移動した前記ステージ部材が、前記ガイド部材から搬送されてきたディスクを受け止め、このディスクを受け止めた状態で前記ステージ部材が前記ディスク受け止め位置から前記ディスク支持位置へ復帰し、このステージ部材が前記ディスク支持位置に復帰するときに前記連動手段によって前記支持部材が突出位置から退避位置へ移動して、前記ステージ部材が受け止めたディスクが前記保持枠内の最下層の位置に積層されることを特徴とするディスク集積装置。
【請求項２】
前記ガイド部材によるディスクの搬送路上に位置し、ディスクの搬送を遮る遮断位置、及び前記搬送路から離れてディスクの搬送を許容する許容位置との間で移動自在に取り付けられた遮断部材と、前記ステージ部材が前記ディスク支持位置から前記ディスク受け止め位置へ移動するのに連動して前記遮断部材を遮断位置から許容位置に移動させる連動部材を備えたことを特徴とする請求項１記載のディスク集積装置。
【請求項３】
前記ステージ部材は、その上面から突出し、保持カップ内に集積されたディスクの中心穴に挿通される挿通位置、及び前記ディスクの中心穴から退避する収納位置の間で移動自在に取り付けられたディスク挿通凸部が設けられていることを特徴とする請求項１または２記載のディスク集積装置。
【発明の詳細な説明】
【技術分野】
【０００１】
本発明は、ディスク集積装置に関する。
【背景技術】
【０００２】
大量のＣＤやＤＶＤなどの記録メディアにデータ書き込みを行い、さらにレーベルの印刷を行うことが可能な自動データ書き込み及びレーベル印刷の処理装置が、本出願人により製造・販売されている。このような装置では、複数の記録メディアが収納された収納部から記録メディアを取り出してデータ書き込み及びレーベル印刷を行った後、記録及び印刷処理済みの記録メディアを別の収納部に積層して集積する。
【０００３】
従来このような処理装置で処理済みの記録メディアを集積するとき、一番最初にデータ書き込み及びレーベル印刷を行った記録メディアを最下層に収納し、その後処理を行った順に記録メディアを上に重ねて集積するのが一般的であったが、この構成の場合、記録及び印刷の処理中は、次々と記録メディアが上に重ねられていくため、収納部から処理済みの記録メディアを取り出すことがことができない。
【０００４】
そこで特許文献１に記載されている装置のように、最初に処理を行った記録メディアを最上層にして、その次からは順番に記録メディアを下に重ねて集積する構成とすることが考えられている。この特許文献１に記載されている装置では、記録メディアが集積される収納部の底面側が開放されており、この収納部に集積されたディスクは、複数の爪状フックによって底面側から支持されている、記録メディアを下から重ねるときには、これらの爪状フックを乗り越えて収納部内へ記録メディアを送り込むようにしていた。
【特許文献１】米国特許６７８２５４４号
【発明の開示】
【発明が解決しようとする課題】
【０００５】
しかしながら、上記特許文献１の処理装置では、収納部に記録メディアを送り込むときに、爪状フックによって記録メディアが擦られながら集積されるため、傷が付きやすく、また、爪状フックを乗り越えるとき、記録メディアが湾曲しながら収納部に収納されるので、変形したりすることも問題となっている。
【０００６】
本発明は上記事情を考慮してなされたものであり、ディスクを最下層に重ねるときにディスクに傷が付いたり、変形したりすることを防ぎ、効率良くディスクの集積を行うことを可能とするディスク集積装置を提供することを目的とする。
【課題を解決するための手段】
【０００７】
本発明のディスク集積装置は、複数のディスクが収納可能なディスク収納部を有し、搬送手段によって搬送されてきたディスクを前記ディスク収納部に集積するディスク集積装置において、前記ディスク収納部に設けられ、ディスクの直径に合わせて形成された開口部の内周面でディスクの外周面を保持する保持枠と、この保持枠の開口部よりも外側に位置する退避位置、及び前記開口部の内側へ向かって突出し、保持枠内に集積されたディスクの最下層を支持する突出位置との間で移動する支持部材と、前記搬送手段によって搬送されてきたディスクを前記保持枠の下方へガイドするガイド部材と、前記保持枠の下方に位置し、上下方向へ移動自在に取り付けられたステージ部材と、前記ステージ部材が前記保持枠内に集積されたディスクの最下層を底面側から支持するディスク支持位置、及びディスクの最下層から離れるディスク受け止め位置との間で前記ステージ部材を移動させる移動手段と、前記ステージ部材の移動に連動して前記支持部材を移動させる連動手段とを備えており、前記ガイド部材によってガイドされたディスクが前記ディスク収納部へ向かって搬送されてくるとき、前記ディスク支持位置から前記ディスク受け止め位置へ移動した前記ステージ部材が、前記ガイド部材から搬送されてきたディスクを受け止め、このディスクを受け止めた状態で前記ステージ部材が前記ディスク受け止め位置から前記ディスク支持位置へ復帰し、このステージ部材が前記ディスク支持位置に復帰するときに前記連動手段によって前記支持部材が突出位置から退避位置へ移動して、前記ステージ部材が受け止めたディスクが前記保持枠内の最下層の位置に積層されることを特徴とする。
【０００８】
前記ガイド部材によるディスクの搬送路上に位置し、ディスクの搬送を遮る遮断位置、及び前記搬送路から離れてディスクの搬送を許容する許容位置との間で移動自在に取り付けられた遮断部材と、前記ステージ部材が前記ディスク支持位置から前記ディスク受け止め位置へ移動するのに連動して前記遮断部材を遮断位置から許容位置に移動させる連動部材を備えたことが好ましい。
【０００９】
前記ステージ部材は、その上面から突出し、保持カップ内に集積されたディスクの中心穴に挿通される挿通位置、及び前記ディスクの中心穴から退避する収納位置の間で移動自在に取り付けられたディスク挿通凸部が設けられていることが好ましい。
【発明の効果】
【００１０】
本発明のディスク集積装置によれば、ガイド部材によってガイドされたディスクがディスク収納部へ向かって搬送されてくるとき、ディスク支持位置からディスク受け止め位置へ移動したステージ部材が、ガイド部材から搬送されてきたディスクを受け止め、このディスクを受け止めた状態でステージ部材がディスク受け止め位置からディスク支持位置へ復帰し、このステージ部材がディスク支持位置に復帰するときに連動手段によって支持部材が突出位置から退避位置へ移動して、ステージ部材が受け止めたディスクが保持枠内の最下層の位置に積層される構成としたので、ディスクに傷が付いたり、変形したりすることを防ぎ、効率良くディスクの集積を行うことができる。
【発明を実施するための最良の形態】
【００１１】
以下、図面を参照して、本発明を実施したディスクの自動データ書き込み及びレーベル印刷用処理装置（以下、ディスク処理装置と称する。）を説明する。図１は、ディスク処理装置の一例を示す斜視図である。このディスク処理装置１０は、第１及び第２のディスク収納部１１ａ，１１ｂと、データ書き込み部１２と、レーベル印刷部１３と、搬送部１４と、ディスク集積部１５と、これらを支持する筐体１６とを備える。第１のディスク収納部１１ａは、筐体１６の正面から見て右側下方部に位置しており、第２のディスク収納部１１ｂは左側上方部に位置している。また、筐体１６の前面には、電源スイッチ１７、各種操作を行う操作部１８などが設けられている。
【００１２】
第１のディスク収納部１１ａは、記録メディアとして未記録及び未印刷のＤＶＤディスク（以下、空ディスクと称する。）Ｄａを収納するためのものであり、筐体１６と一体に設けられた収納室２１と、この収納室２１に挿脱される収納マガジン２２とからなる。収納マガジン２２は、上面が開放された容器状に形成され、収納室２１への出し入れの際に使用する取っ手２２ａが一体に設けられている。この収納マガジン２２には、空ディスクＤａが例えば５０枚積層して収納される。なお、本実施形態では、記録メディアとしてＤＶＤディスクを使用しているが、これに限らずＣＤなど他の記録メディアも使用することができる。
【００１３】
データ書き込み部１２は、ディスクの記録面にレーザー光を照射して情報を記録する周知のＤＶＤ書き込み装置などから構成され、前面に設けられたトレー２４が開閉し、開放位置のトレー２４に空ディスクＤａを載置した状態でトレー２４が閉じ位置に移動すると、空ディスクＤａがデータ書き込み部１２の内部に収納され、データ書き込み可能となる。データ書き込みが終了すると、トレー２４が開放位置に移動して、データ記録済みのディスクＤｂが取り出し可能となる。
【００１４】
レーベル印刷部１３は、周知の熱転写方式プリンタなどから構成され、前面に設けられたトレー２６が開閉し、開放位置のトレー２６にディスクＤｂを載置した状態でトレー２６が閉じ位置へ移動すると、ディスクＤｂがレーベル印刷部１３の内部に収納されてレーベル面にイラストやロゴマークなどのレーベル印刷が行われる。レーベル印刷が終了すると、トレー２６が開放位置に移動して印刷処理済みのディスクＤｃが取り出し可能となる。
【００１５】
搬送部１４は、保持アーム３１と、フレーム３２と、エンドレスベルト３３と、ベルト駆動モータ３４と、回転ベース３６と、ベース駆動モータ３７とを備える。保持アーム３１は、フレーム３２に対して上下に移動自在に取り付けられるとともに、エンドレスベルト３３に固着されている。この保持アーム３１は、先端に設けられたチャック３１ａがディスクの中心穴に嵌合してディスクを保持、または嵌合を解除して保持アーム３１から離脱させる。チャック３１ａは、例えばソレノイドやエアシリンダなどで駆動される周知のものである。
【００１６】
エンドレスベルト３３は、ベルト駆動モータ３７から回転が伝達されることによって周動し、保持アーム３１をフレーム３２に沿って移動させる。また、フレーム３２は、回転ベース３６上に固定されており、この回転ベース３６は外周面にギア３６ａが形成され、ベース駆動モータ３７からの回転が伝達される。ベース駆動モータ３７からの回転が伝達されると、回転ベース３６は、フレーム３２とともに保持アーム３１をＡ方向に回転移動させる。これによって、保持アーム３１に保持されたディスクは、上下に直進移動するとともに、A方向に回転移動して、データ書き込み部１２、レーベル印刷部１３、及びディスク集積部１５へ搬送される。
【００１７】
ディスク集積部（ディスク集積装置）１５は、第２の収納部１１ｂに設けられており、搬送部１４によって搬送されてきたデータ書き込み及びレーベル印刷の処理済みディスクＤｃを第２の収納部１１ｂに集積する。このディスク集積部１５は、詳しくは図３，４に示すように、保持枠５１と、この保持枠５１内に組み込まれた支持フック（支持部材）５２と、保持枠５１の下方に位置するステージ部材５３と、このステージ部材５３を移動させる移動機構５４と、ステージ部材５３の移動に連動して支持フック５２の位置を移動させる連動機構５６（図４参照）と、保持枠５１及びステージ部材５３の隙間に向かってディスクをガイドするシュート（ガイド部材）５７と、これらが取り付けられた支持フレーム５８を備えている。支持フレーム５８は、筐体１２に対して固定されている。
【００１８】
保持枠５１は、外形が矩形状で、略中央にディスクＤｃの直径に合わせた開口部６１が形成され、支持フレーム５８の上方部に固定されている。開口部６１は、保持枠５１の底面まで通過する貫通穴である。保持枠５１の上方部は開放されており、保持枠５１にディスクＤｃが積層されたとき、外部から積層されたディスクＤｃを取り出すことが可能となっている。
【００１９】
支持フック５２は、開口部６１の内側へ突出する突出位置と、開口部６１の外側に退避する退避位置との間で移動自在に取り付けられている。さらに支持フック５２は、詳しくは図４に示すように、挿入穴５２ａが形成され、この挿入穴５２ａの内部に被押圧爪５２ｂが一体に形成されている。この被押圧爪５２ｂは後述するステージ部材５３の連動押圧部６６と、支持フック５２を付勢するバネ６９ともに、ステージ部材５３に連動して支持フック５２を移動させるための連動機構（連動手段）５６を構成している。
【００２０】
ステージ部材５３は、保持枠５１内に積層されたディスクＤｃを底面側から支持するベース面６４と、このベース面６４を囲む４隅の位置に設けられた連動押圧部６６とが一体に設けられている。またステージ部材５３には、ベース面６４の一部を切り欠くように形成された切り欠き部５３ａ，５３ｂが形成されており、この切り欠き部５３ａ，５３ｂは、支持フレーム５８に固定されたガイド棒６７ａ，６７ｂとスライド自在に嵌合する。ステージ部材５３はガイド棒６７ａ，６７ｂに沿って上下方向に移動自在となっている。また、ステージ部材５３の底面側には雌ねじ穴（図示せず）が形成されており、後述する送りネジ７７が螺合する。また、ベース面６４の中央にはディスクＤｃの中央穴を挿通するディスク挿通凸部６８が設けられている。なお、ディスク挿通凸部６８は、ベース面６４から突出する挿通位置から、ステージ部材５３の内部に収納される収納位置に沈み込むように取り付けられており、通常時は、図示しない付勢部材によって挿通位置に付勢されている。これによって、保持枠５１内に積層されたディスクＤｃをユーザーが取り出そうとするときに、ディスク挿通凸部６８が沈み込んでディスクＤｃに引っ掛からないようになり、ディスクＤｃを容易に取り出すことができる。
【００２１】
連動押圧部６６は、上下に伸びる棒状の押圧軸７１と、押圧軸７１の先端部に取り付けられた当接部材７２とからなる。当接部材７２は、詳しくは図５に示すように、回転軸７２ａを介して回動自在となっており、回転軸７２ａ及び押圧軸７１の先端部に形成された突起部７１ａによって両端部が支持される水平位置（実線で示す位置）と、この水平位置から９０°回転し、突起部７１ａから離れた垂直位置（２点鎖線で示す位置）との間で移動する。なお、押圧軸７１は、回転軸７２ａと突起部７１ａとの間に切り欠き部７１ｂが形成されている。
【００２２】
移動機構５４は、モータ７４と、ギア列７６と、送りネジ７７と、ディスク検出部７８からなる。モータ７４はパルスモータなどが使用され、ドライバ７９を介して制御回路８０に接続されており、制御回路８０の制御によってモータ７４の回転が切り換えられる。ギア列７６は、モータ７４の回転を送りネジ７７に伝達する。送りネジ７７は、ステージ部材５３に設けられた雌ねじ穴（図示せず）に螺合しており、ギア列７６からの回転を直進移動に変換してステージ部材５３に伝達し、例えばモータ７４が正転方向に回転すると、ステージ部材５３が下降し、逆転方向に回転するとステージ部材５３が上昇する。この移動機構５４は、ステージ部材５３のベース面６４が保持枠５１の内部に集積されたディスクＤｃの最下層を底面側から支持するディスク支持位置（図７示す位置）、及びベース面６４がディスクＤｃの最下層から離れたディスク受け止め位置（図８示す位置）との間でステージ部材５３を移動させる。シュート５７からディスクＤｃが滑り落ちてくるとき、移動機構５４の作動によってディスク支持位置からディスク受け止め位置に移動したステージ部材５３がディスクを受け止める。ディスクＤｃはディスク挿通凸部６８に挿通され、ベース面６４にセットされる。
【００２３】
ディスク検出部７８は、ステージ部材５３の近傍で、ディスクＤｃの搬送方向に対して下流側の位置に固定されており、ステージ部材５３がディスク受け止め位置にあるとき、ステージ部材５３がディスクＤｃを受け止めてベース面６４にセットされたことを検出するセンサである。このディスク検出部７８としては、例えばフォトセンサなどの光電センサが使用されるが、これに限らず、静電タッチセンサや、磁気センサ、接点式センサなどディスクＤｃの検出が可能なものであればよい。ディスク検出部７８は、制御回路８０に接続されており、ディスクＤｃがステージ部材５３のベース面６４にセットされたことを検出すると、制御回路８０へ検出信号を送る。この検出信号を受けた制御回路８０は、移動機構５４を作動させてステージ部材５３をディスク受け止め位置からディスク支持位置へ移動させる。
【００２４】
以下では、ステージ部材５３の移動に連動する連動機構５６が、支持フック５２を移動させるときの状態を図６を用いて説明する。ステージ部材５３がディスク受け止め位置からディスク支持位置に復帰するときには、上述した連動押圧部６６の当接部材７２が水平位置となっており、支持フック５２の被押圧爪５２ｂと当接する位置にある。そして、図６（Ａ）に示すように、ステージ部材５３の上昇に連動して当接部材７２が被押圧爪５２ｂを押圧して、バネ６９の付勢に抗して支持フック５２を突出位置から退避位置に移動させる（図６（Ｂ）に示す状態）。これによって、ステージ部材５３のベース面６４にセットされたディスクＤｃが支持フック５２に遮られることがなく通過し、保持枠５１内の最下層に送り込まれる（図６（Ｃ）に示す状態）。
【００２５】
さらに、ステージ部材５３がディスク支持位置まで到達するとき、当接部材７２は、被押圧爪５２ｂを乗り越えて支持フック５２の上方に位置し、被押圧爪５２ｂは押圧軸７１の切り欠き部７１ｂに位置する。なお、当接部材７２が被押圧爪５２ｂを乗り越えるとバネ６９の付勢によって支持フック５２が突出位置に復帰する。また、ステージ部材５３がディスク支持位置からディスク受け止め位置に向かって下降するときには、当接部材７２は、被押圧爪５２ｂに引っ掛かることによって回転軸７２ａを中心に回動し、水平位置から垂直位置となる。よって、垂直位置となった当接部材７２は、被押圧爪５２ｂを押圧することがないから、ステージ部材５３が下方へ移動するときは、支持フック５２は突出位置に停止したままである。このように、ステージ部材５３が下方に移動したときに支持フック５２が突出位置にあるため、保持枠５１内に集積されたディスクＤｃは、ステージ部材５３による支持がなくなるが、支持フック５２によって下方から支持されており、保持枠５１内にディスクＤｃが集積された状態を保持することができる。
【００２６】
シュート５７には、ステージ部材５３がディスク支持位置からディスク受け止め位置に移動するまでの間、ディスクＤｃの搬送を一時的に遮断し、ステージ部材５３がディスク受け止め位置に移動したときにディスクＤｃの搬送を許容する一時停止機構８５が設けられている。
【００２７】
この一次停止機構８５は、詳しくは図９に示すように、遮断部材８６と、被押圧部材８７と、連動部材８８と、付勢部材８９と、ディスク検出部９０とを備えている。遮断部材８６は、回転軸８６ａ（図７参照）を介してシュート５７に対して取り付けられ、ディスクＤｃの搬送路上に突出する遮断位置（図７に示す位置）と、ディスクＤｃの搬送路から離れた許容位置（図８に示す位置）との間で回動自在となっている。被押圧部材８７は、ステージ部材５３の下方に位置し、支持フレーム５８に取り付けられており、ステージ部材５３がディスク支持位置からディスク受け止め位置に移動したときに押圧を受ける。連動部材８８は、被押圧部材８７及び遮断部材８６の間を連結する。付勢部材８９は、遮断部材８６を遮断位置に向かって付勢する。なお、図面の煩雑化を避けるため、付勢部材８９を矢印によって図示しているが、本発明はこれに限らず、付勢部材８９としてコイルバネなどを使用し、回転軸８６ａと遮断部材８６との間に組み込むようにしてもよい。
【００２８】
ディスク検出部９０は、遮断部材８６の上流側の位置で、シュート５７に固定して設けられており、ディスクＤｃがシュート５７に搬送されてきたことを検出するセンサである。このディスク検出部９０としては、上述したディスク検出部７８と同様のものが使用される。さらに、ディスク検出部９０は、上述した制御回路８０に接続されており、ディスクＤｃが搬送されてきたことを検出し、制御回路８０に検出信号を送る。この検出信号を受けた制御回路８０は、移動機構５４を作動させてステージ部材５３をディスク支持位置からディスク受け止め位置へ移動させる。
【００２９】
遮断部材８６は、ステージ部材５３がディスク支持位置にあるときには、付勢部材８９の付勢を受けて遮断位置にあり、ステージ部材５３がディスク支持位置からディスク受け止め位置に移動すると、ステージ部材５３が被押圧部材８７を押圧して回動させる。被押圧部材８７が回動すると、連動部材８６を介して遮断部材８６が連動し、付勢部材８９の付勢に抗して遮断位置から許容位置に移動する。また、ステージ部材５３がディスク受け止め位置からディスク支持位置に復帰すると、被押圧部材８７は押圧から開放され、遮断部材８６は付勢部材８９の付勢によって遮断位置に復帰する。
【００３０】
また、シュート５７は、詳しくは図９示すように、両側端部５７ａ，５７ｂが上方へ折れ曲がり、テーパーが付くように形成されている。これによって、ディスクＤｃとの接触面積が少なく滑りやすくなっている。なお、シュート５７の形状はこれに限らず、円弧断面のものなど、ディスクＤｃとの接触面積が少ない形状であればよい。
【００３１】
上記構成の作用について以下に説明する。なお、本実施形態のディスク処理装置１０は、パーソナルコンピュータ（ＰＣ）に接続して使用し、ＰＣにインストールされたソフトウェアを実行することによって、データ書き込み及びレーベル印刷の指示を行う。そして先ず、第１のディスク供給部１１ａに空ディスクＤａをセットし、ディスク処理装置１０の電源をオン状態にする。ＰＣからデータ書き込み及びレーベル印刷を指示すると、保持アーム３１が下降して、マガジン２２内の空ディスクＤａを保持する。空ディスクＤａを保持した保持アーム３１が上方に移動し、さらにＡ方向に回転してデータ書き込み部１２のトレー２４に空ディスクＤａを搬送する。そしてデータ書き込みが終了すると、データ記録済みのディスクＤｂを保持アーム３１が保持して、レーベル印刷部１３のトレー２６に搬送する。そして、レーベル印刷が終了したディスクＤｃは保持アーム３１に保持される。
【００３２】
データ書き込み及びレーベル印刷の処理済みディスクＤｃは、保持アーム３１に保持され、シュート５７へと搬送される。なお、保持アーム３１からシュート５７へディスクが搬送される前の通常状態では、ステージ部材５３はディスク支持位置にあり、ステージ部材５３に連動する支持フック６１は突出位置に、また遮断部材８６は遮断位置となっている。そして、保持アームから送り込まれたディスクＤｃは、シュート５７にガイドされて滑り落ちるが、遮断部材８６に搬送を遮断されて一時停止する。なお図７及び図８では、図面が煩雑化することを防ぐため、保持枠内５１に集積されたディスクＤｃを１枚だけ図示している。
【００３３】
シュート５７にディスクＤｃが送り込まれると、ディスク検出部９０がディスクＤｃを検出して、この検出信号が制御回路８０に送られる。ディスクＤｃの検出信号を受けた制御回路８０は、移動機構５４を作動させてステージ部材５３をディスク支持位置からディスク受け止め位置へと移動させる。上述したようにステージ部材５３のディスク受け止め位置への移動によって遮断部材８６が連動し、許容位置に移動する。遮断部材８６が許容位置に移動すると、ディスクＤｃはシュート５７を滑り落ちて保持枠５１の下方へと向かう。
【００３４】
シュート５７を滑り落ちたディスクＤｃはステージ部材５３によって受け止められ、中心穴がディスク挿通凸部６８に挿通されてベース面６４上にセットされる。シュート５７からディスクＤｃが滑り落ちてステージ部材５３に受け止められるとディスク検出部７８がディスクを検出し、この検出信号を受けた制御回路８０は、モータ７４の回転を切り換えて、ステージ部材５３をディスク受け止め位置からディスク支持位置へと復帰させる。
【００３５】
ディスクＤｃを受け止めたステージ部材５３がディスク受け止め位置からディスク支持位置へと上昇するときには、上述したように連動押圧部６７が支持フック５２の被押圧爪５２ｂを押圧して突出位置から退避位置へと移動するので、支持フック５２に遮られることがなく、ステージ部材５３で受け止められたディスクＤｃは保持枠５１内の最下層の位置に積層される。これ以降は同様にして、保持アーム３１からシュート５７へと搬送されてきた処理済みディスクＤｃを検出したときに、ディスク受け止め位置に移動したステージ部材５３がディスクＤｃを受け止めた後、ディスク支持位置に復帰して保持枠５１の最下層へディスクＤｃを順番に積層していく。
【００３６】
このように、最初の処理済みディスクＤｃが最上層に位置し、以降処理済みのディスクＤｃを順番に下に積み重ねるとき、ディスクＤｃを底面から支持する支持フック５２が退避位置に移動する構成となっているので、ディスクＤｃに引っ掛かるものがなく、ディスクＤｃに力が掛かることもないから、ディスクＤｃに傷が付くことや、変形することを防止してスムーズにディスクＤｃを集積することができる。
【００３７】
また、ステージ部材５３の移動に連動して遮断部材８６を移動させているので、ステージ部材５３がディスク受け止め位置に移動したときに確実にディスクＤｃをステージ部材５３へ送り込むことが可能となり、且つ遮断部材８６を移動させる連動手段には、モータなどの駆動源を必要としないため、部品点数の増加を防ぎ、ローコスト化を図ることができる。
【００３８】
なお、上記実施形態においては、ＣＤ、ＤＶＤなどの記録メディアを集積する集積装置に適用しているが、本発明はこれに限らず、薄板状で同じ外形に作られたディスクの集積を行う集積装置であれば同様に適用することができる。
【図面の簡単な説明】
【００３９】
【図１】ディスク処理装置の外観斜視図である。
【図２】ディスク処理装置の外装の一部分を取り外した状態を示す斜視図である。
【図３】ディスク集積部の斜視図である。
【図４】ステージ部材を移動させる移動機構及び支持フックを連動させる連動機構の構成を示す斜視図である。
【図５】連動押圧部の構成を示す斜視図である。
【図６】連動機構の動作の状態を示す説明図である。
【図７】ステージ部材がディスク支持位置にあるときのディスク集積部の側面図である。
【図８】ステージ部材がディスク受け止め位置にあるときのディスク集積部の側面図である。
【図９】遮断部材及び連動部材の構成を示す斜視図である。
【符号の説明】
【００４０】
１０  ディスク処理装置
１５  ディスク集積部（ディスク集積装置）
５１  保持枠
５２  支持フック（支持部材）
５３  ステージ部材
５４  移動機構
５６  連動機構
５７  シュート
８６  遮断部材
８８  連動部材
【図１】
2007133983.tif 000003
【図２】
2007133983.tif 000004
【図３】
2007133983.tif 000005
【図４】
2007133983.tif 000006
【図５】
2007133983.tif 000007
【図６】
2007133983.tif 000008
【図７】
2007133983.tif 000009
【図８】
2007133983.tif 000010
【図９】
2007133983.tif 000011